【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
周囲温度の上昇時に第１の周波数温度情報を下降時に第２の周波数温度情報をそれぞれ選択可能とし、周囲温度の情報と、前記第１の周波数温度情報または前記第２の周波数温度情報と、を用いて温度補償量を算出可能な温度補償回路に発振信号と前記周波数温度情報を出力する発振器の温度補償方法であって、
振動子の周囲温度を上昇させた場合の温度と前記振動子の発振周波数との関係から前記第１の周波数温度情報を生成し、
前記振動子の周囲温度を下降させた場合の温度と前記発振周波数との関係から前記第２の周波数温度情報を生成し、
前記温度補償回路に、前記第１の周波数温度情報及び前記第２の周波数温度情報を出力することを特徴とする発振器の温度補償方法。
【請求項２】
前記周囲温度に対応した検出電圧を出力する温度検出手段を前記振動子に隣接して配設し、
前記第１、第２の周波数温度情報は、前記検出電圧に関連付けられた情報として算出し、
前記周囲温度の情報と、前記第１の周波数温度情報または前記第２の周波数温度情報と、を用いて温度補償量を算出可能な温度補償回路に前記発振信号を出力し、
前記温度検出手段から前記温度補償回路に前記検出電圧を出力することを特徴とする請求項１に記載の発振器の温度補償方法。
【請求項３】
前記周波数温度情報は、所定の温度間隔で測定された複数の温度情報と、前記温度情報に対応する周波数の情報または前記温度情報に対応する基準周波数からの周波数偏差の情報と、により生成することを特徴とする請求項１または２に記載の発振器の温度補償方法。
【請求項４】
前記周波数温度情報は、所定の温度間隔で測定された複数の温度情報と、前記温度情報に対応する周波数の情報または前記温度情報に対応する基準周波数からの周波数偏差の情報と、の関係を、べき級数に展開した近似式から抽出される温度係数により生成することを特徴とする請求項１または２に記載の発振器の温度補償方法。
【請求項５】
前記第１の周波数温度情報は、前記第２の周波数温度情報と前記周囲温度を基準温度領域に上昇させて測定した温度と周波数の情報と、を用いて近似的に算出することを特徴とする請求項１乃至４のいずれか１項に記載の発振器の温度補償方法。
【請求項６】
前記第２の周波数温度情報は、前記第１の周波数温度情報と前記周囲温度を基準温度領域に下降させて測定した温度と周波数の情報と、を用いて近似的に算出することを特徴とする請求項１乃至４のいずれか１項に記載の発振器の温度補償方法。
【請求項７】
振動子と、
周囲温度の上昇時に第１の周波数温度情報を選択可能とし下降時に第２の周波数温度情報を選択可能とし、周囲温度の情報と、前記第１の周波数温度情報または前記第２の周波数温度情報と、を用いて温度補償量を算出可能な温度補償回路に発振信号を出力する発振回路と、
前記振動子の周囲温度を上昇させた場合の温度と発振周波数との関係から生成した前記第１の周波数温度情報と、前記周囲温度を下降させた場合の温度と発振周波数との関係から生成した前記第２の周波数温度情報と、を格納し、前記第１の周波数温度情報及び前記第２の周波数温度情報を前記温度補償回路に出力する記憶回路と、を有することを特徴とする発振器。
【請求項８】
前記周囲温度に対応した検出電圧を出力する温度検出手段が前記振動子に隣接して設けられるとともに、
前記第１、第２の周波数温度情報は、前記検出電圧に関連付けられた情報として前記記憶回路に格納され、
前記発振回路は、前記周囲温度と前記第１の周波数温度情報または第２の周波数温度情報を用いて温度補償量を算出する温度補償回路に発振信号を出力し、
前記温度検出手段は、前記温度補償回路に前記検出電圧を出力することを特徴とする請求項７に記載の発振器。
【請求項９】
前記周波数温度情報は、所定の温度間隔で測定された複数の温度情報と、前記温度情報に対応する周波数の情報または前記温度情報に対応する基準周波数からの周波数偏差の情報により生成されたものであることを特徴とする請求項７または８に記載の発振器。
【請求項１０】
前記周波数温度情報は、所定の温度間隔で測定された複数の温度情報と、前記温度情報に対応する周波数の情報または前記温度情報に対応する基準周波数からの周波数偏差の情報との関係を、べき級数に展開した近似式から抽出される温度係数により生成されたものであることを特徴とする請求項７または８に記載の発振器。
【手続補正２】
【補正対象書類名】明細書
【補正対象項目名】発明の名称
【補正方法】変更
【補正の内容】
【発明の名称】発振器の温度補償方法、発振器
【手続補正３】
【補正対象書類名】明細書
【補正対象項目名】０００１
【補正方法】変更
【補正の内容】
【０００１】
本発明は、ＧＰＳ（Ｇｒｏｂａｌ  Ｐｏｓｉｔｉｏｎｉｎｇ  Ｓｙｓｔｅｍ）衛星からの測位信号に基づいて位置計測を行う発振器の温度補償に係り、特に温度補償機能を外部に委ねる発振器であるＴＳＸＯ（Ｔｅｍｐｅｒａｔｕｒｅ  Ｓｅｎｓｏｒ  Ｘｔａｌ  Ｏｓｃｉｌｌａｔｏｒ）に搭載され、外部の温度補償回路に供される発振器の温度補償に関する。
【手続補正４】
【補正対象書類名】明細書
【補正対象項目名】００１０
【補正方法】変更
【補正の内容】
【００１０】
そこで本発明は、上記問題点に着目し、振動子の発振周波数のヒステリシス特性の影響を小さくして、安定した発振周波数で発振可能な発振器の温度補償方法、発振器を提供することを目的とする。
【手続補正５】
【補正対象書類名】明細書
【補正対象項目名】００１１
【補正方法】変更
【補正の内容】
【００１１】
本発明は、上述の課題の少なくとも一部を解決するためになされたものであり、以下の適用例として実現することが可能である。
［適用例１］周囲温度の上昇時に第１の周波数温度情報を下降時に第２の周波数温度情報をそれぞれ選択可能とし、周囲温度の情報と、前記第１の周波数温度情報または前記第２の周波数温度情報と、を用いて温度補償量を算出可能な温度補償回路に発振信号と前記周波数温度情報を出力する発振器の温度補償方法であって、振動子の周囲温度を上昇させた場合の温度と前記振動子の発振周波数との関係から前記第１の周波数温度情報を生成し、前記振動子の周囲温度を下降させた場合の温度と前記発振周波数との関係から前記第２の周波数温度情報を生成し、前記温度補償回路に、前記第１の周波数温度情報及び前記第２の周波数温度情報を出力することを特徴とする発振器の温度補償方法。
【手続補正６】
【補正対象書類名】明細書
【補正対象項目名】００１２
【補正方法】変更
【補正の内容】
【００１２】
上記方法により、温度補償回路においては温度上昇時には振動子の発振周波数の温度上昇時の温度特性を示す第１の周波数温度情報に基づいて温度補償を行い、温度下降時には振動子の発振周波数の温度下降時の温度特性を示す第２の周波数温度情報に基づいて温度補償を行うことができる。したがって、振動子の発振周波数の温度変化に対するヒステリシス特性に対応した温度補償を行うことができる。
【手続補正７】
【補正対象書類名】明細書
【補正対象項目名】００１３
【補正方法】変更
【補正の内容】
【００１３】
［適用例２］前記周囲温度に対応した検出電圧を出力する温度検出手段を前記振動子に隣接して配設し、前記第１、第２の周波数温度情報は、前記検出電圧に関連付けられた情報として算出し、前記周囲温度の情報と、前記第１の周波数温度情報または前記第２の周波数温度情報と、を用いて温度補償量を算出可能な温度補償回路に前記発振信号を出力し、前記温度検出手段から前記温度補償回路に前記検出電圧を出力することを特徴とする適用例１に記載の発振器の温度補償方法。
【手続補正８】
【補正対象書類名】明細書
【補正対象項目名】００１４
【補正方法】変更
【補正の内容】
【００１４】
上記方法により、温度検出手段は振動子の周囲温度を温度誤差を抑制して測定することができるので、温度誤差を抑制した第１の周波数温度情報、第２の周波数温度情報を生成することができる。さらに振動子の周囲温度をリアルタイムでかつ高精度に測定できるので、温度補償回路における補正誤差を抑制して、温度補償を高精度に行なうことができる。
【手続補正９】
【補正対象書類名】明細書
【補正対象項目名】００１５
【補正方法】変更
【補正の内容】
【００１５】
［適用例３］前記周波数温度情報は、所定の温度間隔で測定された複数の温度情報と、前記温度情報に対応する周波数の情報または前記温度情報に対応する基準周波数からの周波数偏差の情報と、により生成することを特徴とする適用例１または２に記載の発振器の温度補償方法。
【手続補正１０】
【補正対象書類名】明細書
【補正対象項目名】００１６
【補正方法】変更
【補正の内容】
【００１６】
これにより、発振器側で温度係数の演算が不要となるため発振器形成時の作業負担を軽減してコストを抑制することができる。この場合、ユーザー側で周波数温度情報のプロットに重なるべき級数の近似式の温度係数を演算して温度補償量を算出することになるが、ユーザー側で独自に正確な温度係数を演算することができる。
【手続補正１１】
【補正対象書類名】明細書
【補正対象項目名】００１７
【補正方法】変更
【補正の内容】
【００１７】
［適用例４］前記周波数温度情報は、所定の温度間隔で測定された複数の温度情報と、前記温度情報に対応する周波数の情報または前記温度情報に対応する基準周波数からの周波数偏差の情報と、の関係を、べき級数に展開した近似式から抽出される温度係数により生成することを特徴とする適用例１または２に記載の発振器の温度補償方法。
【手続補正１２】
【補正対象書類名】明細書
【補正対象項目名】００１８
【補正方法】変更
【補正の内容】
【００１８】
これにより、温度補償回路においては温度係数を算出するための演算が不要となるため、ユーザー側の負担を軽減して発振器を搭載したシステムの構築を容易に行うことができる。
【手続補正１３】
【補正対象書類名】明細書
【補正対象項目名】００１９
【補正方法】変更
【補正の内容】
【００１９】
［適用例５］前記第１の周波数温度情報は、前記第２の周波数温度情報と前記周囲温度を基準温度領域に上昇させて測定した温度と周波数の情報と、を用いて近似的に算出することを特徴とする適用例１乃至４のいずれか１例に記載の発振器の温度補償方法。
【手続補正１４】
【補正対象書類名】明細書
【補正対象項目名】００２１
【補正方法】変更
【補正の内容】
【００２１】
［適用例６］前記第２の周波数温度情報は、前記第１の周波数温度情報と前記周囲温度を基準温度領域に下降させて測定した温度と周波数の情報と、を用いて近似的に算出することを特徴とする適用例１乃至４のいずれか１例に記載の発振器の温度補償方法。
【手続補正１５】
【補正対象書類名】明細書
【補正対象項目名】００２３
【補正方法】変更
【補正の内容】
【００２３】
［適用例７］振動子と、周囲温度の上昇時に第１の周波数温度情報を選択可能とし下降時に第２の周波数温度情報を選択可能とし、周囲温度の情報と、前記第１の周波数温度情報または前記第２の周波数温度情報と、を用いて温度補償量を算出可能な温度補償回路に発振信号を出力する発振回路と、前記振動子の周囲温度を上昇させた場合の温度と発振周波数との関係から生成した前記第１の周波数温度情報と、前記周囲温度を下降させた場合の温度と発振周波数との関係から生成した前記第２の周波数温度情報と、を格納し、前記第１の周波数温度情報及び前記第２の周波数温度情報を前記温度補償回路に出力する記憶回路と、を有することを特徴とする発振器。
【手続補正１６】
【補正対象書類名】明細書
【補正対象項目名】００２４
【補正方法】変更
【補正の内容】
【００２４】
上記構成により、温度補償回路においては温度上昇時には振動子の発振周波数の温度上昇時の温度特性を示す第１の周波数温度情報に基づいて温度補償を行い、温度下降時には振動子の発振周波数の温度下降時の温度特性を示す第２の周波数温度情報に基づいて温度補償を行うことができる。したがって、振動子の発振周波数の温度変化に対するヒステリシス特性に対応した温度補償を行うことが可能な発振器となる。
【手続補正１７】
【補正対象書類名】明細書
【補正対象項目名】００２５
【補正方法】変更
【補正の内容】
【００２５】
［適用例８］前記周囲温度に対応した検出電圧を出力する温度検出手段が前記振動子に隣接して設けられるとともに、前記第１、第２の周波数温度情報は、前記検出電圧に関連付けられた情報として前記記憶回路に格納され、前記発振回路は、前記周囲温度と前記第１の周波数温度情報または第２の周波数温度情報を用いて温度補償量を算出する温度補償回路に発振信号を出力し、前記温度検出手段は、前記温度補償回路に前記検出電圧を出力することを特徴とする適用例７に記載の発振器。
【手続補正１８】
【補正対象書類名】明細書
【補正対象項目名】００２６
【補正方法】変更
【補正の内容】
【００２６】
上記方法により、温度検出手段は振動子の周囲温度を温度誤差を抑制して測定することができるので、温度誤差を抑制した第１の周波数温度情報、第２の周波数温度情報を生成することができる。さらに振動子の周囲温度をリアルタイムでかつ高精度に測定できるの0で、温度補償回路における補正誤差を抑制して、温度補償を高精度に行なうことが可能な発振器となる。
【手続補正１９】
【補正対象書類名】明細書
【補正対象項目名】００２７
【補正方法】変更
【補正の内容】
【００２７】
［適用例９］前記周波数温度情報は、所定の温度間隔で測定された複数の温度情報と、前記温度情報に対応する周波数の情報または前記温度情報に対応する基準周波数からの周波数偏差の情報により生成されたものであることを特徴とする適用例７または８に記載の発振器。
【手続補正２０】
【補正対象書類名】明細書
【補正対象項目名】００２８
【補正方法】変更
【補正の内容】
【００２８】
これにより、発振器側で温度係数の演算が不要となるため発振器形成時の作業負担を軽減してコストを抑制することができる。この場合、ユーザー側で周波数温度情報のプロットに重なるべき級数の近似式の温度係数を演算して温度補償量を算出することになるが、ユーザー側で独自に正確な温度係数を演算することができる。
【手続補正２１】
【補正対象書類名】明細書
【補正対象項目名】００２９
【補正方法】変更
【補正の内容】
【００２９】
［適用例１０］前記周波数温度情報は、所定の温度間隔で測定された複数の温度情報と、前記温度情報に対応する周波数の情報または前記温度情報に対応する基準周波数からの周波数偏差の情報との関係を、べき級数に展開した近似式から抽出される温度係数により生成されたものであることを特徴とする適用例７または８に記載の発振器。
【手続補正２２】
【補正対象書類名】明細書
【補正対象項目名】００３０
【補正方法】変更
【補正の内容】
【００３０】
これにより、温度補償回路においては温度係数を算出するための演算が不要となるため、ユーザー側の負担を軽減して発振器を搭載したシステムの構築を容易に行うことができる。